(57)【特許請求の範囲】
【請求項１】
上方に向かって延びたブラケットを含む左右一対の脚部と、
左右一対の肘掛けを含み、前記ブラケットと該肘掛けとの間に形成されその座面よりも上方に位置する左右一対の軸の回りに傾動可能に取り付けられた座部と、
前記座部に屈曲可能に結合された背もたれ部と、
前記座部に屈曲可能に結合された脚載せ部と、から成り、
前記座部と前記背もたれ部とは１８０度を成しかつ頭側が腰側よりも低くなり、しかも前記脚載せ部は足先側が低くなるように傾斜した状態、
前記座部と前記脚載せ部とは１８０度を成しかつ水平で、しかも前記背もたれ部は頭側が低くなるように傾斜した状態、及び
前記座部は水平で、しかも前記背もたれ及び前記脚載せ部は該座部に対して鈍角をなす状態、
になることができることを特徴とする人体屈伸用椅子。
【請求項２】
前記左右一対の軸は、前記ブラケットの上端と前記肘掛けの後方寄り部分との間に配置されている請求項１に記載の人体屈伸用椅子。
【請求項３】
前記左右一対の軸は、前記座部に座り前記背もたれ部にもたれた使用者の重心とほぼ一致している請求項２に記載の人体屈伸用椅子。
【請求項４】
前記座部を傾動させる第１モーター、前記背もたれ部を傾動させる第２モーター及び前記脚載せ部を傾動させる第３モーターを含む請求項３に記載の人体屈伸用椅子。
【発明の詳細な説明】
【０００１】
【発明の属する技術分野】
本発明は、体重により人体を屈曲させて腰痛や関節痛などを予防し軽減するために使用する人体屈伸用椅子に関する。
【０００２】
【従来の技術】
人類は直立２足歩行をするため、体重が脊柱や脚の関節に作用してこれを圧迫し、腰痛や脚の関節痛などの原因となっている。
【０００３】
これらの腰痛や脚の関節痛などの治療のために、医療機関においては各種の器具が用いられている。また、いくつかの身体トレーニング用器具が開発されている。しかし、家庭用としてはマッサージ器が普及している程度であり、気軽に脊柱や脚の関節の伸張できる器具は開発されていない。
【０００４】
【発明が解決しようとする課題】
本発明が解決しようとする課題は、家庭において簡便に使用して腰痛や関節痛などを予防し軽減することができる人体屈伸用椅子を提供することである。
【０００５】
【課題を解決するための手段、作用及び効果】
上記課題を解決するための手段として、人体屈伸用椅子は、請求項１に記載したように、上方に向かって延びたブラケットを含む左右一対の脚部と、左右一対の肘掛けを含みブラケットと肘掛けとの間に形成されその座面よりも上方に位置する左右一対の軸の回りに傾動可能に取り付けられた座部と、座部に屈曲可能に結合された背もたれ部と、座部に屈曲可能に結合された脚載せ部と、から成る。
この人体屈伸用椅子において、座部と背もたれ部とは１８０度を成しかつ頭側が腰側よりも低くなりしかも脚載せ部は足先側が低くなるように傾斜した状態、座部と脚載せ部とは１８０度を成しかつ水平でしかも背もたれ部は頭側が低くなるように傾斜した状態、及び座部は水平でしかも背もたれ及び脚載せ部は座部に対して鈍角をなす状態、になることができる。
【０００６】
請求項２に記載された人体屈伸用椅子は、左右一対の軸は、ブラケットの上端と肘掛けの後方寄り部分との間に配置されている。
【０００７】
請求項３に記載された人体屈伸用椅子は、左右一対の軸は、座部に座り背もたれ部にもたれた使用者の重心とほぼ一致している。
【０００８】
請求項４に記載された人体屈伸用椅子は、座部を傾動させる第１モーター、背もたれ部を傾動させる第２モーター及び脚載せ部を傾動させる第３モーターを含む。
【００１０】
【発明の実施の形態】
以下、本発明の一実施の形態を添付図面に基づいて説明する。
図１及び図２において、左右一対の脚部１は水平材２と、その前後の斜め下向きに前後一対の脚材３とを含む。各脚材３には数個の孔４が長さ方向に形成されていて、脚材３が挿入された筒体６の上端部に形成された孔を任意の孔４に整合させてピン５を差し込むことにより脚部１の高さが調整できるようになっている。
【００１１】
両側の脚部１の水平材２間にひじ掛け１４が一体に形成された座部１６が配置されている。また、水平材２の中央部にはブラケット１３が立設されて、その上端部に互いに対向するように回転自由に突設された左右一対の軸１５がひじ掛け１４に固定されている。一側のブラケット１３に取り付けられた第１の減速機付きモーター１７の駆動により座部１６が軸１５のまわりに傾動するようになっている。
【００１２】
この軸１５は座部１６の座面よりも上方に位置し、しかも座部１６に座って背もたれ部９にもたれた人体ａの重心点にほぼ一致するようになっている。
【００１３】
座部１６の後部に第２の減速機付きモーター７が固定されていて、その駆動によりアーム８が傾動することにより背もたれ部９が座部１６に対して任意の角度に傾動するようになっている。座部１６の前側には、アーム１１を介して脚載せ部１２の座部１６に対する角度を調節する第３の減速機付きモーター１０が取り付けられている。
【００１４】
座部１６の後部には安全ベルト１８が取り付けられている。
【００１５】
本実施の形態の人体屈伸用椅子を普通の椅子として用いる場合には、図１，２に示すように、ピン５の差込位置を調整して脚部１を低くし座部１６は水平としモーター７で背もたれ部９をほぼ垂直状態に起こして使用する。脚がだるい場合には図３に示すように、背もたれ部９を座部１６に対して鈍角となるように後ろに少し傾け、モーター１０で脚載せ部１２を座部１６に対して鈍角を成すように起こして下肢を高くする。
【００１６】
ベッドとして使用する場合には、図４に示すように、背もたれ部９と脚載せ部１２とをほぼ１８０度を成す水平にし、脚部１は適宜の高さにする。
【００１７】
次に、脊柱伸長用に使用する場合には、図５、６に示すように、第１の固定具であるベルト１８を締め、座部１６と背もたれ部９とをほぼ１８０度にし、座部１６を第１のモーター１７の駆動により背もたれ部９とともに頭側が低くなる後ろ下がりに傾けると、人体ａの自重により脊柱が伸びて脊柱の圧迫が除去される。
【００１８】
このとき、モーター１０により脚載せ部１２を座部１６とほぼ直角となるように倒しておくと、下肢（特にひざ）が座部１６に引っ掛かって安全ベルト１８に掛かる荷重が小さくなる。
【００１９】
座部１６と背もたれ部９の傾き角度が大きくなるほど脊柱を伸ばす力が大きくなるので、適宜の角度を選択すべきである。
【００２０】
脊柱の最も負担のかかる腰部を伸ばすには、図７に示すように、モーター７及び１０により座部１６と脚載せ部１２とをほぼ１８０度を成しかつ水平にして、第２の固定具であるバンド１９で足首を脚載せ部１２に固定し、モーター７により背もたれ部９を頭が下がるように傾けると、脊柱が普段と逆方向に曲げられる。
【００２１】
脚の関節を伸ばすには、図８に示すように、モーター１７及び１０により座部１６と脚載せ部１２とをほぼ１８０度を成しかつ急角度に傾斜させ、背もたれ部９をモーター７により座部１６に対して鈍角に傾け、バンド１９で足首を脚載せ部１２に固定すると全体重が脚の関節に作用し伸長される。
【００２２】
第２の固定具は、図９に示すように、脚載せ部１２の２本に別れた側板の間に差し渡した横棒２１に足の甲を引っかけるようにしてもよい。脚載せ部１２をモーター１０により足先側が低くなるように傾ける。
【００２３】
本実施の形態においては座部１６の回転中心たる左右一対の軸１５が人体ａの重心にほぼ一致しているから、座部１６を傾動させる第１モータ１７の出力は小さいもので十分である。
【００２４】
３つのモーター７、１０、１７の起動と停止および正逆転の切り替えは人体ａの手元にある有線または無線のコントローラーによって行われる。
【図面の簡単な説明】
【図１】背もたれ部を起こした状態の斜視図である。
【図２】背もたれ部を起こした状態の側面図である。
【図３】背もたれ部と脚載せ部を傾けた状態の側面図である。
【図４】座部と背もたれ部と脚載せ部を水平にした状態の側面図である。
【図５】座部と背もたれ部とを傾斜させた状態の側面図である。
【図６】その斜視図である。
【図７】背もたれ部を傾けた状態の側面図である。
【図８】背もたれ部と座部と脚載せ部とを傾けた状態の側面図である。
【図９】第２の固定具の変形例の側面図である。
【符号の説明】
１：脚部
７：第２のモーター
９：背もたれ部
１０：第３のモーター
１２：脚載せ部
１５：軸
１６：座部
１７：第１のモーター
１８：ベルト（第１の固定具）
１９：バンド（第２の固定具）
【図１】
0003621616.tif 000002
【図２】
0003621616.tif 000003
【図３】
0003621616.tif 000004
【図４】
0003621616.tif 000005
【図５】
0003621616.tif 000006
【図６】
0003621616.tif 000007
【図７】
0003621616.tif 000008
【図８】
0003621616.tif 000009
【図９】
0003621616.tif 000010